(57)【要約】【課題】建具の外れ止め装置を、薄型化できる構造とし、かつ、円滑な作動を約束するものとする。【解決手段】建て込み伴うストッパ２の押し下げにより、弾性係止片６が撓んで操作体４と係止部６ａとの係止が解除され、第２の弾性材５の付勢力により操作体４が作動部２ａに向かって横移動し、建具の建て込み完了に伴うストッパ２の押し下げが解放されるとき、前記第１の弾性部材３の付勢力により前記ストッパ２が上方に移動し、この移動に伴う前記作動部２ａの前記移動路からの逃げに伴って、前記操作体４が前記第２の弾性材５の付勢力により前記ストッパの作動部２ａの下方に進出し、前記ストッパ２の下降が規制されるように構成した建具の外れ止め装置により解決される。【選択図】図２
2004285603.tif 000002
【特許請求の範囲】
【請求項１】
建具の上框または竪框上端部に対して取り付けられるケースと、
下部に作動部を有し、上下方向に移動自在にかつ上端部が前記ケース上面より突出して前記ケースに設けられ、前記建具の建て込み時における前記上端部の上枠レールへの押し上げに伴う反力により押し下げられるストッパと、
前記ストッパを上方に付勢する第１の弾性材と、
前記ケースに対し前記ストッパの作動部に対して横方向に移動自在に設けられた操作体と、
前記ケースに対し設けられ前記ストッパの作動部側に操作体を付勢する第２の弾性材と、
前記ケースに設けられ、され前記操作体の移動路に臨み前記操作体の前面を係止する係止部を有し、前記ストッパを前記第１の弾性材に抗して下降させた際に前記ストッパの作動部の押し下げにより下方に撓み、前記係止部が前記操作体の移動路から逃げる弾性係止片とを有し；
前記係止部により前記第２の弾性材により付勢されている操作体の前記作動部側に前方への移動が止められた状態で、前記ストッパが押し下げられることにより、前記弾性係止片が撓んで前記操作体の前記係止部との係止が解除され、前記第２の弾性材の付勢力により前記操作体が横移動し、
前記建具の建て込み完了に伴う前記ストッパの押し下げが解放されるとき、前記第１の弾性部材の付勢力により前記ストッパが上方に移動し、この移動に伴う前記作動部の前記移動路からの逃げに伴って、前記操作体が前記第２の弾性材の付勢力により前記ストッパの作動部の下方に進出し、前記ストッパの下降が規制されるように構成したことを特徴とする建具の外れ止め装置。
【請求項２】
操作体の室内側面に操作用凸部が設けられ、ケースの室内側面に横長の連通孔が設けられ、前記連通孔を介して前記操作用凸部がケース外に露出し、この操作用凸部を介してケース外から前記操作体を横移動させる操作が可能とされている請求項１記載の建具の外れ止め装置。
【請求項３】
ストッパの上端部が、作動部に対して室内側方向にオフセットされ、かつ、その上端部に上枠レールに係合する上枠レール係合部が、前記上枠レールに対して摺動自在に設けられている請求項１または２記載の建具の外れ止め装置。
【請求項４】
弾性係止片がケース底に形成され、かつ、そのケース底の前記弾性係止片から外れた位置に下方に突出する脚凸部が形成され、前記ケース底の下方に前記弾性係止片の撓みを許す空間が設けられている請求項１〜３の何れか１項に記載の建具の外れ止め装置。
【請求項５】
請求項１〜４の何れか１項に記載の建具の外れ止め装置が、上框または竪框の上端部に取り付けられていることを特徴とする網戸。
【発明の詳細な説明】
【０００１】
【発明の属する技術分野】
本発明は、見込み幅の狭い建具、たとえば網戸のような建具に好適な建具の外れ止め装置、および、前記建具の外れ止め装置を設けた網戸に関する。
【０００２】
【従来の技術】
サッシ障子や網戸などの建具の上框あるいは竪框の上端に取り付けて、不用意な操作等により建具がレールから意図せず落下しないようにする種々の建具の外れ止め装置が知られている。
【０００３】
なかでも、網戸のように框の見込み幅の狭い建具を対象とするものは、薄型でかつ簡易な操作で機能するものが望まれており、かかる薄型で簡易に作動する建具の外れ止め装置として、建具の建て込み時に自動的に外れ止め機構が作動する外れ止め装置が、特許文献１（特公平６−８４７０３号公報）に開示されている。ここに開示される外れ止め装置は、図１１に示すように、建て込み時に、ストッパ１０２の上端部１０２ｘを上枠レールによって下方に押すことで、ケースの弾性係止片１０６の係止部１０６ａと操作体１０４の係止受部１０４ｂとの係止が解除され、操作体用バネ１０５の作用により、操作体１０４が横移動開始し、その横移動にともなってストッパ１０２側面に突出して形成されたピン１０２Ｐが操作体１０４の傾斜面１００Ｓを摺動して上方に移動することで、ストッパ１０２全体が上方に押し上げられる構成となっている。そして、傾斜面１００Ｓを上りきって前記ピン１０２Ｐが前記操作体１０４の平面部１００Ｆに位置することにより外れ止め機構が維持される。
【特許文献１】
特公平６−８４７０３号公報
【０００４】
【発明が解決しようとする課題】
しかしながら、上記従来の外れ止め装置は、ストッパ２が上昇するには、操作体用バネ１０５の付勢力により操作体１０４が横移動し、ピン１０２Ｐが傾斜面１００Ｓ上を摺動しつつ上昇するいわゆる直動カム構成であるから、摺動による作動を前提としているので作動の円滑性に限界があり、ピン１０２Ｐに対して上方向へ曲げようとする曲げ力が加わる。また、図示例のようにストッパ２が上昇して外れ止めが作動している状態において、建具が外れようとした際にも、ピン１０２Ｐにこれを上方向へ曲げようとする曲げ力作用し、ピン１０２Ｐの負荷が非常に高いものとなる。
【０００５】
また、ケース１０１内において、ストッパ１０２にピン１０２Ｐを側方に突出させる必要がある関係で、ケース１０１内において操作体１０４の側方にストッパ２を配置しこれらを積層させる構造が必須となるため、外れ止め装置を見込み方向に幅狭に構成するにも限界がある。
【０００６】
そこで、本発明の主たる課題は、建具の外れ止め装置を、薄型化できる構造とし、かつ、円滑な作動を約束するものとすることある。他の課題は、当該外れ止め装置が取り付けられた網戸を提供することにある。
【０００７】
【課題を解決するための手段】
上記課題を解決した本発明およびその作用効果は次記のとおりである。
＜請求項１記載の発明＞
建具の上框または竪框上端部に対して取り付けられるケースと、
下部に作動部を有し、上下方向に移動自在にかつ上端部が前記ケース上面より突出して前記ケースに設けられ、前記建具の建て込み時における前記上端部の上枠レールへの押し上げに伴う反力により押し下げられるストッパと、
前記ストッパを上方に付勢する第１の弾性材と、
前記ケースに対し前記ストッパの作動部に対して横方向に移動自在に設けられた操作体と、
前記ケースに対し設けられ前記ストッパの作動部側に前方に付勢する第２の弾性材と、
前記ケースに設けられ、され前記操作体の移動路に臨み前記操作体の前面を係止する係止部を有し、前記ストッパを前記第１の弾性材に抗して下降させた際に前記ストッパの作動部の押し下げにより下方に撓み、前記係止部が前記操作体の移動路から逃げる弾性係止片とを有し；
前記係止部により前記第２の弾性材により付勢されている操作体の前記作動部側に前方への移動が止められた状態で、前記ストッパが押し下げられることにより、前記弾性係止片が撓んで前記操作体の前記係止部との係止が解除され、前記第２の弾性材の付勢力により前記操作体が横移動し、
前記建具の建て込み完了に伴う前記ストッパの押し下げが解放されるとき、前記第１の弾性部材の付勢力により前記ストッパが上方に移動し、この移動に伴う前記作動部の前記移動路からの逃げに伴って、前記操作体が前記第２の弾性材の付勢力により前記ストッパの作動部の下方に進出し、前記ストッパの下降が規制されるように構成したことを特徴とする建具の外れ止め装置。
【０００８】
＜請求項２記載の発明＞
操作体の室内側面に操作用凸部が設けられ、ケースの室内側面に横長の連通孔が設けられ、前記連通孔を介して前記操作用凸部がケース外に露出し、この操作用凸部を介してケース外から前記操作体を横移動させる操作が可能とされている請求項１記載の建具の外れ止め装置。
【０００９】
＜請求項３記載の発明＞
ストッパの上端部が、作動部に対して室内側方向にオフセットされ、かつ、その上端部に上枠レールに係合する上枠レール係合部が、前記上枠レールに対して摺動自在に設けられている請求項１または２記載の建具の外れ止め装置。
【００１０】
＜請求項４記載の発明＞
弾性係止片がケース底に形成され、かつ、そのケース底の前記弾性係止片から外れた位置に下方に突出する脚凸部が形成され、前記ケース底の下方に前記弾性係止片の撓みを許す空間が設けられている請求項１〜３の何れか１項に記載の建具の外れ止め装置。
【００１１】
＜請求項５記載の発明＞
請求項１〜４の何れか１項に記載の建具の外れ止め装置が、上框または竪框の上端部に取り付けられていることを特徴とする網戸。
【００１２】
（作用効果）
請求項１記載の発明においては、作動部を有するストッパに対して第１の弾性材を、操作体に対して第２の弾性材をそれぞれ設け、建具の建て込み完了に伴うストッパの押し下げが解放されるとき、第１の弾性部材の付勢力によりストッパが上方に移動し、この移動に伴う作動部の移動路からの逃げに伴って、操作体が第２の弾性材の付勢力により前記ストッパの作動部の下方に進出し、前記ストッパの下降が規制されるように構成した。したがって、従来の直動カム構造による連動方式を採ることなく、ストッパ及び操作体は個別に移動して外れ止め機能を発揮する。したがって、ストッパ及び操作体は個別に移動する限り、作動が確実かつ円滑となる。
【００１３】
また、ストッパ及び操作体は、実質的に同一面内に配置して外れ止め装置を構成できるので、薄型化でき、見込み幅の狭い建具、たとえば網戸のような建具に好適な建具の外れ止め装置となる。
【００１４】
操作体に対し、これをストッパの作動部側に付勢する第２の弾性材が設けられているので、ストッパが上方に移動し、この移動に伴う作動部の移動路からの逃げに伴って、操作体が第２の弾性材の付勢力によりストッパの作動部の下方に進出し、ストッパの下降が規制されるものとなる。したがって、仮に第２の弾性材を設けない場合には、操作体を手で移動させストッパの下降を規制する操作が必要となるが、その必要はなく、操作体の移動は自動化され、操作体の移動忘れなどの事態を招くことはなく、作動が確実なものとなる。
【００１５】
請求項２記載の発明によれば、ケース側面に露出する操作凸部を操作してケース内の操作体を横移動させる構成としたので、建具に取り付けたときに室内側前面での操作が可能となり、操作性に優れる。また、建具に取り付けたとき、特許文献１のように左右方向端部に操作体が露出する場合には、開閉操作の際に誤って操作してしまう虞れがあるが、室内側前面での操作構造の場合には誤作動の虞れはない。
【００１６】
請求項３記載の発明によれば、建具が上枠レールに対して室外側に持ち出される持ち出し構造としても、ストッパ形状を工夫することにより、請求項１記載の発明と同じ機能及び効果が得られる。
【００１７】
請求項４記載の発明によれば、ケース底に弾性係止片を形成し、ケース底の下方に脚凸部を形成することにより前記弾性係止片の撓みを許す空間を確保したので、弾性係止片を下方への撓みを許容する空間を建具に形成しなくてもよくなる。
【００１８】
請求項５記載の発明によれば、網戸における上記利点が顕著に現れる。
【００１９】
【発明の実施の形態】
次いで、本発明の実施の形態を図面を参照しながら以下に詳述する。
図１は、本発明の外れ止め装置Ｅを取り付けた網戸Ａおよびその網戸Ａを建て込む建て込み部分とを示す縦断面図である。上下枠５０，５１及び左右竪枠（図示せず）により構成される開口部枠内に、外障子５２及び内障子５３が設けられている。
【００２０】
前記網戸Ａは上框１０，下框２０及び左右竪框（図示せず）内に網体３０が収められ、上框１０に外れ止め装置Ｅが、その操作用凸部４ｃを室内側に露出させた状態に取り付けられている。図２は、本実施の形態の建具の外れ止め装置Ｅを示す分解斜視図である。図３は、ケース１内部の構成を建て込み前の状態で示す室内側から見た正面図である。図４は、建て込みに伴ってストッパが下方に押し下げられたときの、ケース内の構成を示す正面図である。図５は、建て込み完了に伴って、ストッパが上昇したときのケース内の構成を示す正面図である。
【００２１】
本実施の形態にかかる建具の外れ止め装置Ｅは、前記建具の上框１０または竪框上端部に対して取り付けられるケース１と、下部に作動部２ａを有し、上下方向に移動自在にかつ上端部２Ｘが前記ケース１上面より突出し、本体部分は前記ケース１内に設けられるストッパ２と、前記ストッパ２を上方に付勢するストッパ用コイルバネ３（第１の弾性材）と、前記ケース１に対し前記ストッパ２の作動部２ａに対して横方向に移動自在に設けられた操作体４と、前記ケース１内に設けられ前記ストッパ２の作動部２ａ側に操作体４を付勢する操作体用コイルバネ５（第２の弾性材）と、前記ケース１に設けられ、実施の形態ではケース１の底に形成され、前記ストッパ２を前記ストッパ用コイルバネ３に抗して下降させた際に、前記ストッパ２の作動部２ａの押し下げにより下方に撓み、かつ撓みの復帰時において前記操作体４の移動路に臨む弾性係止片６とを備える。
【００２２】
前記ケース１は、金属製でもよいが実施の形態では樹脂製とされ、正面が開口されたケース本体部１Ｘとケース蓋部１Ｙとからなり、ケース本体部１Ｘの開口をケース蓋体１Ｙにより閉塞してネジ止めおよび結合用係止部により結合することで構成される。前記ケース本体部１Ｘの上面側には切り欠き１ａが形成され、ケース蓋体１Ｙにより開口部を閉塞したときには、ケース内外に連通するストッパ用連通孔（窓）１Ｚがケース１の上面に形成される。
【００２３】
前記ケース本体部１Ｘの底面には、一端が自由端とされ基端がケース本体部１Ｘと一体となっている弾性係止片６が形成され、この弾性係止片６には、前記操作体４の横移動を規制する係止部６ａが上方に向かって突出している。なお、前記弾性係止片６はケース本体部１Ｘと別体としてもよく、また、ケース本体部１Ｘの底面にではなく、ケース１内の適宜の位置に設けることもできる。
【００２４】
前記ストッパ２は金属板（あるいは樹脂板）で形成され、上端部２Ｘに上枠５０の上枠レールＲｕへの接触性を良好にするため折り曲げ部２ｘが形成されている。前記上端部２Ｘは前記連通孔１Ｚを介してケース１の上方に向かって突出され、この上端部２Ｘより下側のケース内に位置されるケース内配置部２Ｙの下部に、ストッパ機構を実質的に開始させる作動部２ａと、ストッパ用コイルバネ３の外れを防止するストッパ用コイルバネ嵌合凸部２ｂが形成されている。前記作動部２ａは、前記弾性係止片６の自由端側に臨むがわに形成され、ストッパ２の下降にともなって前記弾性係止片６の自由端部に押圧して前記弾性係止片６を下方に撓ませる。
【００２５】
前記ストッパ２の下方に位置するストッパ用コイルバネ３（第１の弾性材）は、上端に前記ストッパ用コイルバネ嵌合凸部２ｂが嵌められ、下端部が前記ケース本体内１Ｘの底に形成されたストッパ用コイルバネ受溝１ｃに嵌められ、これらストッパ用コイルバネ嵌合凸部２ｂとストッパ用コイルバネ受溝１ｃとによってストッパ２から外れないように構成されている。そして、その弾圧力により前記ストッパ２を上方に付勢する。
【００２６】
一方、前記操作体４は樹脂製（あるいは金属製）であり、弾性係止片６上に横移動可能に位置されている。この操作体４の後面には前記操作体用コイルバネ５（第２の弾性材）の端部が挿入される操作体用コイルバネ挿入穴４ａが掘られ、操作体用コイルバネ５の端部が挿入されている。操作体用コイルバネ５の他方の端部は、ケース本体に形成された操作体用コイルバネ受け溝１ｄに嵌められ、操作体４から外れないようになっている。前記操作体４は、前記操作体用コイルバネ５の弾圧力により、ストッパ２及び弾性係止片６の自由端側に向かって付勢される。
【００２７】
また、前記操作体４の移動路の途中に、前記弾性係止片６の係止部６ａが位置しており、操作体４を操作体用コイルバネ５に抗して後方の所定位置まで移動させたときに、操作体４の下面側に突出部として形成された係止受部４ｂの前面と係合して、前記操作体４の作動部２ａ方向への移動を規制するものである。操作体４は、前記操作体４の係止受部４ｂと係止部６ａとの係合が解除されたときには、操作体用コイルバネ５の弾圧力によってストッパ２方向に移動する。
【００２８】
他方、操作体４のケース蓋面１Ｙ側には、操作体４の操作体用コイルバネ５に抗して移動させる操作を行うための操作凸部４ｃが形成されている。この操作凸部４ｃは前記ケース蓋体１Ｙに形成された、横長の操作孔１ｗからケース外の室内側に露出され、ケース外方から操作凸部４ｃを操作体用コイル５の伸張力に反して強制的に移動させることが可能とされている。ここで、前記操作凸部４ｃは誤動作防止のためケース側面から過度に突出しないように構成するのが望ましい。
【００２９】
上記構成の建具の外れ止め装置Ｅを取り付けた網戸を建て込む際には、予め、図３に示す前記操作凸部４ｃを指やドライバーで、前記操作体４を操作体用コイルバネ５に抗して移動させ、操作体用コイルバネ５を押し縮めて前記係止部６ａにより操作体５を係止した状態にしておく。
【００３０】
かかる状態において、網戸を建て込む操作を行うときに、上枠レールＲｕに前記ストッパ２の上端部２Ｘの折り曲げ部２ｘを接触させ、さらに上方にもち上げると、図４に示すように、その反力によりストッパ２の上端部２Ｘが押されてストッパ用コイルバネ３が押し縮められるとともに、前記作動部２ａが下降する。このとき、前記作動部２ａにより弾性係止片６の自由端側が下方に押されて撓み、この撓みよる弾性係止片６の下降にともなって、係止部６ａによる操作体４の係止が解除され、前記操作体用コイルバネ５の伸張力により前記操作体４が操作体ガイド壁に案内されながら弾性係止片６の自由端側へ向かってスライド移動して前記作動部２ａに圧接する。
【００３１】
その後、建具の建て込み完了により、上枠レールＲｕによる前記ストッパ上端部２Ｘへの押圧が解除されると、図５に示すように、前記ストッパ２が前記ストッパ用コイルバネ３の伸張力により上方へと移動し、作動部２ａの作動路が空くとともに、この作動路に操作体４が移動する。そうすると、前記作動部２ａの移動路が操作体４により塞がれて、ストッパ２の下降が抑制され、外れ止め機能が働く。
【００３２】
＜第２の実施の形態＞
次いで、第２の実施の形態を図６〜１０を参照しながら詳述する。第２の実施の形態にかかる外れ止め装置は、図６に示すように、持ち出し構造の網戸に対して取り付けられる。ケース１内の構造および動作は第１の実施の形態と同様であるが、本実施の形態では、図７に示されるように、ストッパ２の上端部の折り曲げ部２ｘが室内外側方向に向かって（図示例では、室内方向に向かって）延長され、ケース１の側方に向かって張り出している。そして、折り曲げ部２ｘの先端において上方に向かってさらに折り曲げられている。その先端部２ｚには、上枠レールＲｕに係合する上枠レール係合受部材７が取り付けられる。なお、折り曲げ部２ｘの張り出し長さや、先端部２ｚの高さは、建具の構造や建て込み部の構造に応じて適宜変更する。
【００３３】
前記上枠レール係合受部７は、図８および９に示すように、建て込み状態において、上枠レールＲｕの室内側（または室外側）において上方に突出する半円形状の半円凸片７ａと、上枠レールＲｕ挟んで室内側（または室外側）において上方に突出する係合凸片７ｂとを有する。これら、半円凸部７ａと係合凸部７ｂとの間に上枠レールＲｕが位置することにより建て込み時に、網戸Ａの室内外方向への倒れこみが防止される。また、前記上枠レール係合受部材７は、例えば樹脂製として上枠レールＲｕに対して摺動自在とすることにより、係合状態における網戸の開閉が可能とされる。
【００３４】
一方、本実施の形態では、図１０に示すように、前記ケース蓋部１Ｙを被覆するケースカバーＣｖを取り付けることができる。このケースカバーＣｖには前記折り曲げ部２ｘの室内外方向の延長を許す連通孔Ｈ１と操作凸部４ｃの操作を可能とする操作孔Ｈ２が設けられている。前記連通孔Ｈ１に関しては、建て込みに伴うストッパの上下移動にともなって前記折り曲げ部２ｘも上下に移動するため、これを可能とすべく所定の高さ範囲に開口させ、前記操作孔Ｈ２に関しては操作凸部４ｃの横移動が可能なるように横長に設けるのが望ましい。これらの連通孔Ｈ１および操作孔Ｈ２の構成は適宜変更することができる。
【００３５】
＜その他＞
上述の実施の形態に係る建具の外れ止め装置は、網戸等の建具の上框に取り付けた例であるが、竪框の上端に取り付けることも可能である。その他網戸の構成については特に限定されずに、公知技術の範囲で適宜設計することができる。また、上記実施例は、第１の弾性材、第２の弾性材としてコイルバネを用いた構成であるが、各弾性部材は、板バネであってもよいし、ゴム体であってもよい。また、双方の同じ種類の弾性材を用いる必要もない。その他、サッシ枠の構成等も従来技術の範囲で適宜設計することができる。
【００３６】
【発明の効果】
以上、詳述のとおり、本発明によれば、建具の外れ止め装置を薄型化できるとともに、円滑な作動が約束される。
【図面の簡単な説明】
【図１】第１の実施の形態にかかる外れ止め装置を設けた網戸およびその建て込み部の縦断面図である。
【図２】第１の実施の形態にかかる外れ止め装置の分解斜視図である。
【図３】第１の実施の形態にかかる外れ止め装置内部を示す正面図である。
【図４】第１の実施の形態にかかる外れ止め装置内部の動きを説明する図である。
【図５】第１の実施の形態にかかる外れ止め装置内部の動きを説明する他の図である。
【図６】第２の実施の形態に係る外れ止め装置を設けた持ち出し構造の網戸およびその建て込み部の縦竪断面図である。
【図７】第２の実施の形態にかかる外れ止め装置を説明するための斜視図である。
【図８】上枠レール係合受部を説明するための斜視図である。
【図９】上枠レール係合受部を説明するための他の斜視図である。
【図１０】第２の実施の形態にかかる外れ止め装置にカバーを取り付けた態様の斜視図である。
【図１１】従来の建具の外れ止め装置の構造を説明するための断面図である。
【符号の説明】
１…ケース、１Ｘ…ケース本体部、１Ｙ…ケース蓋部、２…ストッパ、２Ｘ…ストッパ上端部、２Ｙ…ケース内配置部、２ａ…作動部、１ａ…ストッパ用コイルバネ受け溝、３…ストッパ用コイルバネ（第１の弾性材）、４…操作体、５…操作体用コイルバネ（第２の弾性材）、６…弾性係止片、Ｅ…外れ止め装置。Ｃｖ…ケースカバー。
【図１】
2004285603.tif 000003
【図２】
2004285603.tif 000004
【図３】
2004285603.tif 000005
【図４】
2004285603.tif 000006
【図５】
2004285603.tif 000007
【図６】
2004285603.tif 000008
【図７】
2004285603.tif 000009
【図８】
2004285603.tif 000010
【図９】
2004285603.tif 000011
【図１０】
2004285603.tif 000012
【図１１】
2004285603.tif 000013